(57)【要約】【課題】  携帯型通信端末に設けられた照明部の発光を直接着信報知として機能させた場合には、照明用としての強い発光が直接外部に放出されるため、着信の報知機能としては光が強すぎると共に、美観にも欠ける。【解決手段】  携帯型通信端末の背面部に装着可能な背面被覆部材に、特定の焦点から拡開して放射状に形成された複数の線状切込みからなる光誘導部が、前記照明部材と対面する領域内に設けられると共に、平滑光導波板部、及び前記平滑光導波板部に対して突出若しくは陥没して形成されてなる光散乱装飾部とを備えることを特徴とする携帯型通信端末用装飾具。【選択図】  図１
2014222850.tif 000002
【特許請求の範囲】
【請求項１】
着信と連動して発光することができる照明部材を備えた携帯型通信端末の前記背面部に装着して使用される携帯型通信端末用装飾具であって、
当該携帯型通信端末装飾具は、
使用時に携帯型通信端末の背面と対面する面を裏面とし、当該裏面と反対側の面を表面とする透明素材からなる背面被覆部材と、
前記背面被覆部材の裏面に設けられ、携帯型通信端末の背面部との固定に用いられる装着部材とからなり、
前記背面被覆部材は、
当該背面被覆部材内に設定された焦点から拡開して放射状に形成された複数の線状切込みからなると共に、携帯型通信端末用装飾具を携帯型通信端末に装着した状態において前記背面被覆部が前記照明部材と対面する領域内に、前記線状切込みの少なくとも一部が配設されてなる光誘導部と、
前記光誘導部の周囲に連続して形成されると共に、表面及び裏面が平滑な面に形成されてなる平滑光導波板部と、
前記平滑光導波板部に対して突出若しくは陥没して形成されてなる光散乱装飾部とを備えてなること
を特徴とする携帯型通信端末用装飾具。
【請求項２】
前記光誘導部を構成する複数の線状切込みが、焦点方向端部において互いに離隔して形成されてなること
を特徴とする請求項１に記載の携帯型通信端末用装飾具。
【請求項３】
携帯型通信端末用装飾具を携帯型通信端末に装着した状態において、前記光誘導部の一部若しくは前記複数の線状切込みに挟み込まれた背面被覆部材の一部が前記照明部材の中心と対面する位置に配置されてなること
を特徴とする請求項１若しくは２に記載の携帯型通信端末用装飾具。
【請求項４】
前記光誘導部の最外縁部を構成する一対の線状切込みの外側に沿って、前記背面被覆部材が切り込まれてなる光遮蔽部を有すること
を特徴とする請求項１〜３のいずれかに記載の携帯型通信端末用装飾具。
【請求項５】
前記光散乱装飾部が、前記背面被覆部材の表面若しくは裏面上に印刷されてなる印刷凸部であること
を特徴とする請求項１〜４のいずれかに記載の携帯型通信端末用装飾具。
【請求項６】
前記背面被覆部材の前記照明部材と対面する領域を被覆して、前記背面被覆部材の表面に着脱可能に取り付けられてなる光取込部材を有すること
を特徴とする請求項１〜５のいずれかに記載の携帯型通信端末用装飾具。
【請求項７】
前記装着部材が、背面被覆部材の裏面全体に塗布され、携帯型通信端末と着脱可能な粘着部材であること
を特徴とする請求項１〜６のいずれかに記載の携帯型通信端末用装飾具。
【請求項８】
前記装着部材が、背面被覆部材の裏面の周縁部に塗布され、携帯型通信端末と着脱可能な粘着部材であること
を特徴とする請求項１〜６のいずれかに記載の携帯型通信端末用装飾具。
【請求項９】
前記装着部材が、背面被覆部材の周縁部の裏面から略垂直方向に突出して形成された携帯型通信端末の側面を把持する係止爪であること
を特徴とする請求項１〜６のいずれかに記載の携帯型通信端末用装飾具。
【発明の詳細な説明】
【技術分野】
【０００１】
本発明は、他者から送信された音声、文字情報、及び画像情報を含む受信信号を感知することができる携帯型通信端末に装着して使用される携帯型通信端末用装飾具に関する。
【背景技術】
【０００２】
近年、携帯電話機を含む携帯型通信端末には、背面部に周囲を照らす手段として照明部を備えたものが多く開発されており、受信信号の感知（以下、着信という。）に連動させて前記照明部を発光させる機能を有するものも存在する。
【先行技術文献】
【特許文献】
【０００３】
【特許文献１】特開２００７−２８８７３０号公報
【発明の概要】
【発明が解決しようとする課題】
【０００４】
しかし、前記照明部の発光を直接着信報知として機能させた場合には、照明用としての強い発光が直接外部に放出されるため、着信の報知機能としては光が強すぎると共に、装飾効果とう他の機能までは考慮されないという問題があった。
【課題を解決するための手段】
【０００５】
そこで、上記課題を解決する手段として本願発明に係る携帯型通信端末用装飾具は、着信と連動して発光することができる照明部材を備えた携帯型通信端末の前記背面部に装着して使用される携帯型通信端末用装飾具であって、当該携帯型通信端末装飾具は、使用時に携帯型通信端末の背面と対面する面を裏面とし、当該裏面と反対側の面を表面とする透明素材からなる背面被覆部材と、前記背面被覆部材の裏面に設けられ、携帯型通信端末の背面部との固定に用いられる装着部材とからなり、前記背面被覆部材は、当該背面被覆部材内に設定された焦点から拡開して放射状に形成された複数の線状切込みからなると共に、携帯型通信端末用装飾具を携帯型通信端末に装着した状態において前記背面被覆部が前記照明部材と対面する領域内に、前記線状切込みの少なくとも一部が配設されてなる光誘導部と、前記光誘導部の周囲に連続して形成されると共に、表面及び裏面が平滑な面に形成されてなる平滑光導波板部と、前記平滑光導波板部に対して突出若しくは陥没して形成されてなる光散乱装飾部とを備えてなることを特徴とする。
【０００６】
携帯型通信端末としては、携帯電話機、タブレット型パソコン、携帯型ゲーム機、若しくはカメラ等であって、通信機能を有する携帯可能な機器を挙げることができる。
【０００７】
背面被覆部材を構成する透明素材は照明部材から放出される光を透過する透明素材で形成されていることが好ましい。当該透明素材には、例えばポリカーボネイト樹脂、アクリル樹脂、若しくはＰＥＴ（ポリエチレンテレフタレート）樹脂等の光を透過する素材を用いることが好ましい。
【０００８】
光誘導部を構成する線状切込みは、背面被覆部材の厚み方向に沿って切り込み断面が形成されてなる。前記線状切込みは、背面被覆部材の表面若しくは裏面の一方から背面被覆部材の厚み途中まで形成されてなるものでも良いが、線状切込みが表面から裏面まで貫通して形成されてなるものがより好ましい。照明部材から放出された光は背面被覆部材の内部に取り込まれて、背面被覆部材の表面及び裏面で反射を繰り返しながら背面被覆部材の表面に沿って照明部材の全周方向に進もうとする。その光を、光誘導部が形成された領域内に取り込むことによって、光は切り込み断面で反射され、光誘導部が拡開する拡開方向に光を誘導させることができる。
【０００９】
このとき、線状切込みが表面から裏面まで貫通して形成されていれば、光誘導部が形成された領域内に取り込まれた光を、背面被覆部材の厚み方向のいずれの位置においても切り込み断面によって反射させることができる。
【００１０】
また、前記光誘導部を構成する複数の線状切込みが、焦点方向端部において互いに離隔して形成されてなることとしても好ましい。このような構成により、線状切込み同士に挟み込まれた背面被覆部材の一部が、厚み方向に捲れ上がることを防止することができる。背面被覆部材が捲れ上がると、当該捲れ上がりによって形成された背面被覆部材の隙間から、照明部材から放出された光が背面被覆部材の内部に取り込まれることなく携帯型通信端末用装飾具の外部に漏出し、光散乱装飾部まで誘導できる光の量が極端に減少してしまうという問題が生じることとなる。
【００１１】
また、携帯型通信端末用装飾具を携帯型通信端末に装着した状態において、前記光誘導部の一部若しくは前記複数の線状切込みに挟み込まれた背面被覆部材の一部が前記照明部材の中心と対面する位置に配置されてなることとしても好ましい。このような構成により、照明部材から放出された光を直接光誘導部が形成された領域内に取り込むことができるため、背面被覆部材の内部に進入させた直後に、光を切り込み断面で反射させて効率的に光誘導部の拡開方向に誘導させることができる。
【００１２】
また、前記光誘導部の最外縁部を構成する一対の線状切込みの外側に沿って、前記背面被覆部材が切り込まれてなる光遮蔽部を有することとしても好ましい。光遮蔽部は、光誘導部を構成する線状切込みと同じく、背面被覆部材の厚み方向に沿って切り込み断面が形成されてなる切込みからなる。光遮蔽部は、背面被覆部材の表面若しくは裏面の一方から背面被覆部材の厚み途中まで切り込まれて形成されてなるものでも良いが、表面から裏面まで貫通して切り込まれて形成されてなるものがより好ましい。
【００１３】
光遮蔽部は、光誘導部の外側を進もうとする光を反射させ、光誘導部の方角へ戻す機能を備える。なお、光遮蔽部は一本の切込みからなることが好ましい。光遮蔽部が一本の切込みからなることによって光誘導部の外側を進もうとする光に対して隙間なく対応することができるからである。
【００１４】
光散乱装飾部は、照明部材から放出された光が背面被覆部材の内部に取り込まれ、平滑光導波板部を導波してきた光を光散乱装飾部の縁端部及び内部で散乱させると共に、本発明の表面方向に光を放出させる機能を備える。光散乱装飾部から放出された光は、光散乱装飾部の形状をかたどった光る模様を構成する。このため、携帯型通信端末の着信によって輝く光散乱装飾部は、使用者に着信を強く報知することができると共に、携帯型通信端末の背面部全体を用いた装飾効果を発揮することができる。
【００１５】
また、前記光散乱装飾部が、前記背面被覆部材の表面若しくは裏面上に印刷されてなる印刷凸部であることとしても好ましい。光散乱装飾部が印刷凸部であることによって、背面被覆部材に直接突出若しくは陥没した形状を直接形成する場合よりも容易に光散乱装飾部を形成することができ、製造コストの低減を図ることができる。ここで、印刷凸部は出来るだけ透明性に優れ、光透過性の良いアクリル樹脂、ポリエステル樹脂、ウレタン樹脂、ポリエーテル樹脂、若しくはエポキシ樹脂等の各種コーティング用樹脂を主成分とした配合物から構成されてなるものであることが好ましい。
【００１６】
また、前記印刷凸部には、酸化チタン、酸化ケイ素、カオリンクレー、炭カル、硫酸バリュウム、パール系粉末、プラスチック系微粒子、蛍光顔料、若しくは蓄光顔料、又はその他各種の有機、若しくは無機の微粒子が分散されてなることが好ましい。前記微粒子が印刷凸部に分散されてなることによって、光散乱装飾部に到達した光を、光散乱装飾部の内部で散乱させることができ、光散乱装飾部材の表面全体から光を放出させることができるからである。
【００１７】
さらに、前記印刷凸部には、蛍光顔料、ブラックライト顔料、若しくは蓄光粒子等からなる発光素材が含まれてなることが好ましい。光散乱装飾部に到達した光が前記発光素材を発光させるため、光散乱装飾部材の表面全体から光を放出させることができる。また、あらかじめ特定の波長の光を放出する発光素材を選択して印刷凸部に混合しておくことによって、光散乱装飾部材を特定の色彩に輝かせることができる。
【００１８】
一方、透明素材からなる背面被覆部材に、直接突出若しくは陥没した形状を直接形成してなる光散乱装飾部である場合には、照明部材から導波してきた光は主として光散乱装飾部材の外周縁部で散乱されるため、光散乱装飾部材が構成する形状の外周縁を縁取るように輝かせることが可能であるが、光散乱装飾部材の表面全体から光を放出させることは難しい。
【００１９】
また、前記背面被覆部材の前記照明部材と対面する領域を被覆して、前記背面被覆部材の表面に着脱可能に取り付けられてなる光取込部材を有することとしても好ましい。
【００２０】
光取込部材は、照明部材から放出されて背面被覆部材を厚さ方向に透過しようとする光を反射させることにより、背面被覆部材の内部に光をより効率よく取り込むことができる。
【００２１】
また、前記装着部材が、背面被覆部材の裏面全体に塗布され、携帯型通信端末と着脱可能な粘着部材であっても好ましい。粘着部材が背面被覆部材の裏面全体に塗布されていることによって、粘着部材の一部が剥がれても携帯型通信端末用装飾具を携帯型通信端末から容易に脱落させることなく安定に装着させることができる。
【００２２】
前記装着部材が、背面被覆部材の裏面の周縁部に塗布され、携帯型通信端末と着脱可能な粘着部材であっても好ましい。
【００２３】
また、装着部材が前記背面被覆部材の裏面全体に塗布された粘着部材、若しくは背面被覆部材の周縁部範面に塗布された粘着部材である場合、背面被覆部材は全体として薄いシート状に形成されていることが好ましい。背面被覆部材が薄いシート状に形成されていることで、粘着部材の粘着力を高めなくとも十分強固に携帯型通信端末用装飾具を携帯型通信端末に装着させることができるからである。また、背面被覆部材が薄いシート状であることによって携帯型通信端末用装飾具の重量を軽くすることができ、装着状態においても携帯型通信端末の持ち運びに支障をきたすことがない。そのため、背面被覆部材は、０．０１ｍｍ〜３ｍｍ程度の厚さに形成されたシートであることが好ましい。
【００２４】
前記装着部材が、背面被覆部材の周縁部の裏面から略垂直方向に突出して形成された携帯型通信端末の側面を把持する係止爪であっても好ましい。当該係止爪を用いて装着することによって、携帯型通信端末用装飾具の携帯型通信端末からの不意の脱離を効果的に防止することができる。
【００２５】
また、装着部材が係止爪である場合、当該係止爪及び背面被覆部材は肉厚の樹脂からなり、携帯型通信端末用装飾具全体が携帯型通信端末の背面を覆うように装着されるケースを構成してなることが好ましい。
【発明の効果】
【００２６】
本発明によれば、照明部材から放出されて背面被覆部材の内部に取り込まれ、背面被覆部材の表面に沿って照明部材の全周方向に進もうとする光を、光誘導部が拡開する拡開方向に光を誘導させることができる。
【００２７】
携帯型通信端末の着信によって輝く光散乱装飾部を備える本発明は、使用者に着信を強く報知することができると共に、携帯型通信端末の背面部全体を用いた装飾効果を発揮することができる。
【図面の簡単な説明】
【００２８】
【図１】携帯型通信端末用装飾具１の全体斜視図である。
【図２】携帯型通信端末用装飾具１を携帯型通信端末Ｓの背面部に装着した状態を示す正面図である。
【図３】携帯型通信端末Ｓに装着した状態の携帯型通信端末用装飾具１の正面視左上部の部分拡大正面図である。
【図４】携帯型通信端末用装飾具１の左上部の部分拡大斜視図である。
【図５】光取込部材１４を表面５に貼り付けて、携帯型通信端末Ｓの背面部に装着した状態の携帯型通信端末用装飾具１の正面図である。
【図６】携帯型通信端末Ｓに装着した携帯型通信端末用装飾具１のＡ−Ａ断面図である。
【図７】Ａ−Ａ断面図のα部拡大図である。
【発明を実施するための形態】
【００２９】
以下、本発明に係る実施の形態を、図を参照しながら詳しく説明する。
【００３０】
図１は、本発明に係る携帯型通信端末用装飾具１の全体斜視図である。
【００３１】
携帯型通信端末用装飾具１は、背面被覆部材２及び背面被覆部材２の裏面３の周縁部に塗布された着脱可能な粘着部材からなる装着部材４とからなり、背面被覆部材２の表面５の中央部にはアクリル樹脂を主成分とした配合物からなるインクが印刷された後、印刷凸部として固化されてなる光散乱装飾部６が設けられてなる。
【００３２】
また、携帯型通信端末用装飾具１の左寄りであって上辺に近接した位置には、線状切込み７ａ〜線状切込み７ｆが放射状に形成された光誘導部８が設けられている。また、光誘導部８の最外縁部を構成する線状切込み７ａの上方外側及び線状切込み７ｆの左方外側に沿って、光遮蔽部９が設けられている。なお、光遮蔽部９は光誘導部８から離間して設けられている。線状切込み７ａ〜線状切込み７ｆ、及び光遮蔽部９は背面被覆部材２の裏面３から表面５まで貫通してなる切込みからなる。
【００３３】
また、光遮蔽部９の左隣には、携帯型通信端末用装飾具１を携帯型通信端末Ｓに装着した際に、携帯型通信端末Ｓの背面部に設けられたカメラ部材Ｔ及びマイク部材Ｕを露出させるための開口１０が設けられている。
【００３４】
図２は、携帯型通信端末用装飾具１を携帯型通信端末Ｓの背面部に装着した状態を示す正面図である。図２に示すように、携帯型通信端末Ｓの背面部の左寄り上端縁に近接した位置には、カメラ部材Ｔ、マイク部材Ｕ、及び照明部材Ｖが左右方向に並んで設けられている。また、携帯型通信端末用装飾具１が装着された携帯型通信端末Ｓは、背面被覆部材２によって背面部全体を覆われた状態となる。
【００３５】
図３は、携帯型通信端末Ｓに装着した状態の携帯型通信端末用装飾具１の左上部の部分拡大正面図である。光誘導部８を構成する線状切込み７ａ〜線状切込み７ｆは、正面視において、仮想の焦点１１から放射状に互いに拡開する線分が全体として扇型を形成するように配置されている。
【００３６】
本実施の形態において、光誘導部８は、背面被覆部材２が照明部材Ｖと対面する領域内に、前記線状切込み７ａ〜線状切込み７ｆの焦点１１側の一部それぞれ配設されてなる。さらに、照明部材Ｖの中心Ｖｃと対面する位置に線状切込み７ｃと線状切込み７ｄに挟み込まれた背面被覆部材２の一部が配置されてなる。
【００３７】
また、線状切込み７ａ〜線状切込み７ｆの焦点１１方向端部は互いに離隔して形成されており、線状切込み７ａ〜線状切込み７ｆに挟み込まれた背面被覆部材２の一部が、厚み方向に捲れ上がることを防止することができる。
【００３８】
さらに光遮蔽部９は、図３において照明部材Ｖの上部及び左側部の僅かに外側に位置するように配置されている。
【００３９】
なお図４には、図３に示した携帯型通信端末用装飾具１の左上部の部分拡大斜視図を示している。図４に示すように、線状切込み７ａ〜線状切込み７ｆは背面被覆部材２の厚み方向に線状切込み断面１２ａ〜線状切込み断面１２ｆを有し、光遮蔽部９は光遮蔽部断面１３を有する。
【００４０】
光誘導部８が上記のように配置されることにより、照明部材Ｖの中心Ｖｃから放出される光を、光誘導部８が形成された領域を介して背面被覆部材２内に進入させることができる。光誘導部８が形成された領域内に進入し、背面被覆部材２の内部を背面被覆部材２の表面５に沿って進もうとする光の大部分は、線状切込み断面１２ａ〜線状切込み断面１２ｆで反射されて光誘導部８の拡開方向に誘導される。本実施の形態において、光が光誘導部８の拡開方向に誘導されるとは、光誘導部８から、図２の紙面に向かって右方向、右下方向、若しくは下方向に対して放射状に広がるように光が背面被覆部材２の内部を導波しながら広がることをいう。
【００４１】
一方、図３に示すように、光遮蔽部９は、中央部分の屈曲点で連続して屈曲し、光誘導部８の拡開方向と同じ方向に拡開する折れ線状に形成されてなる。そのため、照明部材Ｖから放出された光のうち、光誘導部８よりも外側の領域から背面被覆部材２の内部に取り込まれた光、若しくは前記線状切込み７ａ〜線状切込み７ｆの焦点１１方向端部が互いに離間してなることで形成される隙間領域から背面被覆部材２の内部を光誘導部８の拡開方向とは異なる方向に進む光を、光遮蔽部断面１３が反射して方向転換させることができる。
【００４２】
光遮断部断面１３に反射された光は、光遮断部９と線状切込み７ａとの間、若しくは光遮断部９と線状切込み７ｆとの間で反射されながら光誘導部８の拡開方向よりも僅かに外側の方向に向かって誘導される。
【００４３】
本来、照明部材Ｖから背面被覆部材２の内部に取り込まれた光は、背面被覆部材２の表面５及び裏面３で反射を繰り返しながら背面被覆部材２の表面に沿って照明部材Ｖの全周方向に進もうとする。ところが光誘導部８及び光遮断部９を備えることで、全周方向に進もうとする光を、線状切り込み断面１２ａ〜線状切り込み断面１２ｆ若しくは光遮断部断面１３で反射され、光誘導部８が拡開する拡開方向若しくは光誘導部８の拡開方向よりも僅かに外側の方向に向かって光を誘導させることができる。
【００４４】
上記の光誘導部８及び光遮断部９の機能によって、携帯型通信端末Ｓの左寄り上端縁に配置された照明部材Ｖから放出された光のうち、光散乱装飾部６が形成されていない携帯型通信端末用装飾具１の左上部分に進もうとする光を所望の方向へ誘導することができ、携帯型通信端末用装飾具１の中心部へ導波する光の量を格段に増加させることができる。
【００４５】
図５は、シール状に形成した光取込部材１４を、光誘導部８及び光遮断部９を覆う位置に貼り付けた状態の携帯型通信端末用装飾具１の正面図である。なお、当該携帯型通信端末用装飾具１は、携帯型通信端末Ｓの背面部に装着されている。本実施の形態において、光取込部材１４は光誘導部８及び光遮断部９を覆うと同時に、携帯型通信端末用装飾具１が携帯型通信端末Ｓに装着された際に照明部材Ｖと対面する領域を被覆する位置に配置される。
【００４６】
光取込部材１４は裏面側に着脱可能な粘着材が塗布されており、背面被覆部材２の表面５に貼り付けられている。また、光取込部材１４は光を反射できる樹脂若しくは金属箔を有してなり、照明部材Ｖから放出されて背面被覆部材２を透過しようとする光を反射させることができる。
【００４７】
なお、光取込部材１４には、開口１０に対応する位置に開口１５が設けられている。このため、光取込部材１４を貼り付けた状態においてもカメラ部材Ｔ及びマイク部材Ｕを外部に露出させることができ、これらの部材の機能を損なうことはない。
【００４８】
光取込部材１４によって反射された光は、再び背面被覆部材２の内部に取り込むことができる。さらに、本実施の形態においては照明部材Ｖと対面する領域に光誘導部８が配置され、照明部材Ｖと近接する位置に光遮断部９が配置されているため、光取込部材１４によって反射された光は背面被覆部材２の内部において即座に光誘導部８若しくは光遮断部９によって反射され、光誘導部８の拡開方向若しくはその僅かに外側の方向に向かって誘導させることができる。
【００４９】
光取込部材１４を取り付けることにより、照明部材Ｖから放出された光のうち、背面被覆部材２を透過して外部へ発散しようとする光を反射して背面被覆部材２の内部に取り込むことができる。これにより、光取込部材１４を取り付けない場合に比べてより多くの光を背面被覆部材２の内部に取り込むことができる。さらに、光取込部材１４に反射された光を、光誘導部８及び光遮断部９を介して誘導することによって、照明部材Ｖから放出された光の大部分を背面被覆部材２の全体に分散させることができる。このような光取込部材１４、光誘導部８及び光遮断部９による相乗効果により、背面被覆部材２上に形成された光散乱装飾部６の全体に対して光を均一に到達させることができる。
【００５０】
光誘導部８と光散乱装飾部６との間に形成される背面被覆部材２は表面５及び裏面３が平坦な平滑光導波板部１６に形成されてなり、光誘導部８から誘導された光は平滑光導波板部１６の内部を導波して光散乱装飾部６へ到達する。
【００５１】
本実施の形態において、光散乱装飾部６は、アクリル樹脂を主成分とした配合物からなるインクを背面被覆部材２の表面５上に印刷することにより形成される。印刷された光散乱装飾部６は、特定の模様をかたどった状態で固化し、図６及び図７に示すように背面被覆部材２の表面５から盛り上がってなる印刷凸部を形成する。
【００５２】
光誘導部８及び光遮断部９から平滑光導波板部１６を介して光散乱装飾部６まで到達した光は、図７の矢印に示すように光散乱装飾部６の内部を通って携帯型通信端末用装飾具１の外部に散乱されながら放出される。使用者は、光散乱装飾部６を介して散乱された光を視認することで、光散乱装飾部６が輝いているように感じることができる。
【００５３】
なお、光散乱装飾部６内に微粒子１７を分散させておくことで、光散乱装飾部６の内部における光が散乱される割合を増加させることができる。微粒子１７は、例えば酸化チタン若しくは酸化ケイ素からなるものを用いることができる。微粒子１７をあらかじめ前記インクに分散させた状態で印刷することで、微粒子１７を光散乱装飾部６内に均一に分散した状態で固定することができる。
【００５４】
前記微粒子１７が光散乱装飾部６内に分散されてなることによって、光散乱装飾部６に到達した光を、光散乱装飾部６の内部で均一に散乱させることができ、光散乱装飾部材６の表面全体から光を放出させることができる。そのため、使用者は、微粒子１７を含む光散乱装飾部６を介して散乱された光を視認することで、光散乱装飾部６の表面全体が輝いているように感じることができる。
【符号の説明】
【００５５】
１  携帯型通信端末用装飾具
２  背面被覆部材
４  装着部材
６  光散乱装飾部
７  線状切込み
８  光誘導部
９  光遮断部
１２  線状切込み断面
１３  光遮断部断面
１４  光取込部材
１６  平滑光導波板部
【図１】
2014222850.tif 000003
【図２】
2014222850.tif 000004
【図３】
2014222850.tif 000005
【図４】
2014222850.tif 000006
【図５】
2014222850.tif 000007
【図６】
2014222850.tif 000008
【図７】
2014222850.tif 000009